(57)【要約】【課題】表示画面と映像のアスペクト比が異なる際に画面の映像領域以外に現れるブランク領域（サイドマスク）を精度良く検出する。【解決手段】映像の複数の走査線の輝度レベルの変化に基づいてサイドマスクと映像領域の境界を検出することでサイドマスクを検出するアクティブ検出部３ａと、映像に予め複数の判定領域を設定し、サイドマスクの位置に設定された判定領域において所定時間内の平均輝度レベルの変化が無く、かつ映像領域に設定された判定領域において平均輝度レベルに変化がある場合にサイドマスクと検出するレベル検出部３ｂとの双方の検出結果の論理和をとる。【選択図】図１
2007304337.tif 000002
【特許請求の範囲】
【請求項１】
入力される映像領域と該映像領域以外の領域に位置するブランク領域とを有する映像の前記ブランク領域の検出を行う映像検出装置において、
前記映像の任意の走査方向の輝度レベルの変化に基づいて前記ブランク領域を検出する第１の検出手段と、
前記映像に予め複数の判定領域を設定し、前記複数の判定領域が夫々動画か静止画かの判定に基づいて前記ブランク領域を検出する第２の検出手段と、
前記第１の検出手段および第２の検出手段の検出結果に基づいて前記ブランク領域を検出したか否かの判定を行う判定手段と、
を備えたことを特徴とする映像検出装置。
【請求項２】
前記第１の検出手段が、前記任意の走査方向の複数のラインについて輝度レベルが予め設定した所定値以上の変化をした画素を前記映像領域と前記ブランク領域との境界と検出することによって前記ブランク領域を検出することを特徴とする請求項１に記載の映像検出装置。
【請求項３】
前記第１の検出手段が、過去に検出した前記境界の位置を記憶する境界記憶手段を備え、前記境界記憶手段に記憶させた過去に検出した前記境界の位置と現在検出した前記境界の位置との差が予め設定した第１の許容値未満であることによって前記ブランク領域を検出することを特徴とする請求項２に記載の映像検出装置。
【請求項４】
前記第１の検出手段が、前記境界を検出するために予め設定する前記複数のラインが、互いに間隔を空けて設定されていることを特徴とする請求項２または３に記載の映像検出装置。
【請求項５】
前記第２の検出手段が、予め設定した複数の判定領域の信号レベルを所定時間分記憶する信号レベル記憶手段を備え、前記信号レベル記憶手段に記憶した複数の判定領域の信号レベルのうち前記ブランク領域に設定した前記判定領域の信号レベルが所定時間変化がなく、かつ予め前記映像領域に設定した判定領域の信号レベルが変化したことによって前記ブランク領域を検出することを特徴とする請求項１乃至３のいずれかに記載の映像検出装置。
【請求項６】
前記第２の検出手段が、予め設定する複数の判定領域は、前記ブランク領域１箇所につき複数設け、かつ前記映像領域に複数設けたことを特徴とする請求項１乃至３のいずれかに記載の映像検出装置。
【請求項７】
請求項１乃至６のいずれかに記載の映像検出装置を備え、前記映像検出装置の検出結果に応じて入力された映像に加工を施す加工手段を備えたことを特徴とする映像処理装置。
【請求項８】
入力される映像領域と該映像領域以外の領域に位置するブランク領域とを有する映像の前記ブランク領域の検出を行う映像検出方法において、
前記映像の任意の走査方向の輝度レベルの変化に基づいて前記ブランク領域を検出し、前記映像に予め複数の判定領域を設定して前記複数の判定領域が夫々動画か静止画かの判定に基づいて前記ブランク領域を検出して、前記走査方向の輝度レベルの変化および前記複数の判定領域が夫々動画か静止画かの判定による検出の双方の検出結果に基づいて前記ブランク領域を検出したか否かの判定を行うことを特徴とする映像検出方法。
【請求項９】
夫々所定範囲にブランク領域と映像領域を有する映像を表示する表示装置の焼き付き軽減方法であって、
入力映像の前記ブランク領域に対応する範囲に位置する映像の輝度レベルと前記映像領域に対応する範囲に位置する映像の輝度レベルの差が所定値以上であり、かつ、前記入力映像において、前記ブランク領域に対応する範囲に位置する映像が静止画であり、かつ、前記映像領域に対応する範囲に位置する映像が動画である場合に、前記ブランク領域に対応する範囲に位置する映像がブランク領域であると判定し、
該判定に基づいて、入力映像に対して焼き付き軽減処理を行うことを特徴とする表示装置の焼き付き軽減方法。
【請求項１０】
入力される映像領域と該映像領域以外の領域に位置するブランク領域とを有する映像の前記ブランク領域の検出を行う映像検出装置のコンピュータを動作させるための映像検出プログラムにおいて、
前記映像の任意の走査方向の輝度レベルの変化に基づいて前記ブランク領域を検出する第１の検出手段と、
前記映像に予め複数の判定領域を設定し、前記複数の判定領域が夫々動画か静止画かの判定に基づいて前記ブランク領域を検出する第２の検出手段と、
前記第１の検出手段および第２の検出手段の検出結果に基づいて前記ブランク領域を検出したか否かの判定を行う判定手段
としてコンピュータに機能させることを特徴とするコンピュータ読み取り可能な映像検出プログラム。
【発明の詳細な説明】
【技術分野】
【０００１】
本発明は、表示画面と映像のアスペクト比が異なる際に映像以外の領域に現れるブランク領域の検出を行う映像検出装置、映像検出方法、表示装置の焼き付き軽減方法および映像検出プログラムに関する。
【背景技術】
【０００２】
従来、例えばテレビジョン受像機などにおいて、その画面にアスペクト比が異なる映像を表示する場合、映像の無い余白部分には黒色または所定の模様の帯状の領域（マスク）が画面上に発生する。このような領域は長時間同じ色又は模様などが表示されるためこの領域が表示される画面は焼き付きが発生しやすくなり、その焼き付きがユーザに視認され表示品質上の問題となっていた。このような焼き付きを低減させるために、特許文献１に記載の映像表示装置が提案されている。特許文献１に記載の映像表示装置は、画面の上下または左右に黒色の帯が存在するか否かを黒検出手段で検出し、検出した黒色の帯をマスク信号レベル発生器で別の色などを発生させ置き換えている。
【特許文献１】特開２００３−２１９３２０号公報
【発明の開示】
【発明が解決しようとする課題】
【０００３】
特許文献１の映像表示装置は黒色のマスク領域しか検出できないため、デジタル放送などで見られる柄模様などの黒色以外のマスク領域は検出できなかった。したがって、黒色以外のマスク領域において焼き付きを低減させることができなかった。
【０００４】
そこで、本発明は、例えば画面にアスペクト比が異なる映像を表示することがある場合に映像領域と映像領域以外の領域（ブランク領域）とを有する映像の映像領域以外の領域（ブランク領域）を精度良く検出できる映像検出装置、映像処理装置、映像検出方法、表示装置の焼き付き軽減方法および映像検出プログラムを提供することを課題とする。
【課題を解決するための手段】
【０００５】
上記課題を解決するために、請求項１記載の発明は、入力される映像領域と該映像領域以外の領域に位置するブランク領域とを有する映像の前記ブランク領域の検出を行う映像検出装置において、前記映像の任意の走査方向の輝度レベルの変化に基づいて前記ブランク領域を検出する第１の検出手段と、前記映像に予め複数の判定領域を設定し、前記複数の判定領域が夫々動画か静止画かの判定に基づいて前記ブランク領域を検出する第２の検出手段と、前記第１の検出手段および第２の検出手段の検出結果に基づいて前記ブランク領域を検出したか否かの判定を行う判定手段と、を備えたことを特徴としている。
【０００６】
請求項８記載の発明は、入力される映像領域と該映像領域以外の領域に位置するブランク領域とを有する映像の前記ブランク領域の検出を行う映像検出方法において、前記映像の任意の走査方向の輝度レベルの変化に基づいて前記ブランク領域を検出し、前記映像に予め複数の判定領域を設定して前記複数の判定領域が夫々動画か静止画かの判定に基づいて前記ブランク領域を検出して、前記走査方向の輝度レベルの変化および前記複数の判定領域が夫々動画か静止画かの判定による検出の双方の検出結果に基づいて前記ブランク領域を検出したか否かの判定を行うことを特徴としている。
【０００７】
請求項９に記載の発明は、夫々所定範囲にブランク領域と映像領域を有する映像を表示する表示装置の焼き付き軽減方法であって、入力映像の前記ブランク領域に対応する範囲に位置する映像の輝度レベルと、前記映像領域に対応する範囲に位置する映像の輝度レベルの差が所定値以上であり、かつ、前記入力映像において、前記ブランク領域に対応する範囲に位置する映像が静止画であり、かつ、前記映像領域に対応する範囲に位置する映像が動画である場合に、前記ブランク領域に対応する範囲に位置する映像がブランク領域であると判定し、該判定に基づいて、入力映像に対して焼き付き軽減処理を行うことを特徴としている。
【０００８】
請求項１０に記載の発明は、入力される映像領域と該映像領域以外の領域に位置するブランク領域とを有する映像の前記ブランク領域の検出を行う映像検出装置のコンピュータを動作させるための映像検出プログラムにおいて、前記映像の任意の走査方向の輝度レベルの変化に基づいて前記ブランク領域を検出する第１の検出手段と、前記映像に予め複数の判定領域を設定し、前記複数の判定領域が夫々動画か静止画かの判定に基づいて前記ブランク領域を検出する第２の検出手段と、前記第１の検出手段および第２の検出手段の検出結果に基づいて前記ブランク領域を検出したか否かの判定を行う判定手段としてコンピュータに機能させることを特徴としている。
【発明を実施するための最良の形態】
【０００９】
以下、本発明の一実施形態にかかる映像検出装置を説明する。本発明の一実施形態にかかる映像検出装置は、映像の任意の走査方向の輝度レベルの変化に基づいてブランク領域を検出する第１の検出手段の結果と、映像内に予め設定した複数の判定領域が動画か静止画かの判定に基づいてブランク領域を検出する第２の検出手段との結果に基づいて、判定手段において入力された映像のブランク領域が検出されたか否かの判定を行う。このようにすることによって、第１の検出手段と第２の検出手段の検出結果を合わせて判定できるので、黒色以外のブランク領域を持つ多様な映像に対して精度良く検出することができる。
【００１０】
また、第１の検出手段が、走査方向の複数ラインにおいて輝度レベルが予め設定した所定値以上の変化をした画素を映像領域とブランク領域との境界と検出することによってブランク領域を検出してもよい。このようにすることにより、映像領域とブランク領域との輝度差が所定値以上ある場合には確実に検出することができる。
【００１１】
また、第１の検出手段が、検出した映像領域とブランク領域との境界を記憶する境界記憶手段を備え、境界記憶手段に記憶させた過去の境界の位置と現在検出した境界の位置との差が第１の許容値未満であると検出したことによってブランク領域を検出してもよい。このようにすることにより、映像領域とブランク領域との境界は時間的に位置が異なることがほとんどないので、フィールド間の差が第１の許容値未満とすることで第１の検出手段の精度を高くすることができる。
【００１２】
また、境界を検出するために予め設定する走査方向の複数のラインが、互いに間隔を空けて設定されていてもよい。このようにすることにより、映像領域とブランク領域との境界線が走査方向に対して鉛直であることが検出できるので、ブランク領域ではない低輝度な領域による誤判定を少なくすることができる。
【００１３】
また、第２の検出手段が、予め設定した複数の判定領域の信号レベルを所定時間分記憶する信号レベル記憶手段を備え、信号レベル記憶手段に記憶した複数の判定領域のうちブランク領域の位置に設定された判定領域において所定時間信号レベルの変化がなく、かつ予め映像領域に設定された判定領域において信号レベルが変化したことによって前記ブランク領域を検出してもよい。このようにすることにより、ブランク領域は時間経過によって平均輝度レベルが変化することはなく、映像領域は時間経過によって映像が変化すれば平均輝度レベルも変化するのでブランク領域を精度良く検出することができる。
【００１４】
また、第２の検出手段が、予め設定する複数の判定領域は、ブランク領域１箇所につき複数設け、かつ映像領域に複数設けてもよい。このようにすることにより、領域を細かく分割することができるので、第２の検出手段の検出精度を高くすることができる。
【００１５】
また、請求項１乃至６のいずれかに記載の映像検出装置を、該映像検出装置の検出結果に応じて入力された映像に加工を施す加工手段を備える映像処理装置に備えてもよい。このようにすることにより、映像検出装置において、ブランク領域を検出した際にブランク領域に焼き付きが生じにくくなるような加工処置を施すことが可能となる。
【００１６】
また、本発明の一実施形態にかかる映像調整方法は、映像の走査方向の輝度レベルの変化に基づいてブランク領域を検出し、映像内に予め設定した複数の判定領域が動画か静止画かの判定に基づいてブランク領域を検出して、これら２つの検出結果に基づいてブランク領域が検出されたか否かの判定を行う。このようにすることによって、２つの異なる検出方法の検出結果を合わせて判定できるので、黒色以外のブランク領域を持つ多様な映像に対しても精度良く検出することができる。
【００１７】
また、本発明の一実施形態にかかる表示装置の焼き付き軽減方法は、入力映像のブランク領域に対応する範囲に位置する映像の輝度レベルと、映像領域に対応する範囲に位置する映像の輝度レベルの差が所定値以上であり、かつ、入力映像において、ブランク領域に対応する範囲に位置する映像が静止画であり、かつ、映像領域に対応する範囲に位置する映像が動画である場合に、ブランク領域の映像がブランク領域であると判定し、その判定に基づいて入力映像に対して焼き付き軽減処理を行う。このようにすることによって、複数の異なる検出方法の検出結果を合わせてブランク領域を判定した結果を基に焼き付きの軽減処理を行えるので、ブランク領域の誤判定が少なくなり焼き付きの軽減処理を確実に行うことができる。
【００１８】
また、本発明の一実施形態にかかる映像処理プログラムは、映像の走査方向の輝度レベルの変化に基づいてブランク領域を検出する第１の検出手段の結果と、映像内に予め設定した複数の判定領域が動画か静止画かの判定に基づいてブランク領域を検出する第２の検出手段との結果に基づいて、判定手段においてブランク領域を検出したか否かの判定を行う。このようにすることによって、第１の検出手段と第２の検出手段の検出結果を合わせて判定できるので、黒色以外のブランク領域を持つ多様な映像に対して精度良く検出することができる。
【実施例１】
【００１９】
本発明の第１の実施例にかかる映像検出装置を備えた映像処理装置１を図１ないし図７を参照して説明する。映像処理装置１は図１に示すように映像入力端子２と、映像検出装置としてのマスク検出部３と、マスク合成部４と、モニタ５と、を備えている。
【００２０】
マスク検出部３は、第１の検出手段としてのアクティブ検出部３ａ、第２の検出手段としてのレベル検出部３ｂと、判定手段としての論理和３ｃとを備え、画像入力端子２から入力される映像信号に対して、４：３のアスペクト比の映像を１６：９のアスペクト比で放送または再生などを行った際に映像領域以外の領域に発生するブランク領域（以降サイドマスクと呼称する）の検出を行う。
【００２１】
アクティブ検出部３ａは、映像の走査方向のラインとしての走査線の画素値のレベル変化からサイドマスクと映像領域との境界を検出してサイドマスクの検出を行う。また、アクティブ検出部３ａは境界の位置を所定のフィールド分記憶する境界記憶手段としての図示しないＲＡＭ（Random Access Memory）を内蔵している。レベル検出部３ｂは、１６：９のアスペクト比のサイドマスクと映像領域に夫々判定領域を設定して各判定領域に所定時間動きがあるか静止しているかを判定することでサイドマスクの検出を行う。また、レベル検出部３ｂも各判定領域が動画か静止画かの判定を行うために所定時間分の各領域の平均輝度レベルを記憶するためのレベル記憶手段としての図示しないＲＡＭを内蔵している。論理和３ｃはアクティブ検出部３ａの結果とレベル検出部３ｂの結果の論理和をとってマスク合成部４に出力する。すなわち、アクティブ検出部３ａとレベル検出部３ｂのいずれかがサイドマスクを検出すればサイドマスクが検出されたと判定され判定結果がマスク合成部４に出力される。
【００２２】
加工手段（焼き付き軽減処理）としてのマスク合成部４は、映像入力端子２から入力された映像に対して、マスク検出部３からの検出結果に基づいて焼き付きの起りにくい（あるいは目立たなくする）サイドマスク（一定以上の輝度レベルがある均一なパターン）として例えばグレーのサイドマスクを合成し合成後の映像をモニタ５へ出力する。
【００２３】
表示装置としてのモニタ５は、ＣＲＴ（Cathode Ray Tube）、ＰＤＰ（Plasma Display Panel）などにより構成され、マスク合成部４から入力される映像を表示する。
【００２４】
つぎに、マスク検出部３における具体的な映像領域とサイドマスクとを有する映像の検出方法について説明する。
【００２５】
まず、アクティブ検出部３ａの動作を図２ないし図５を参照して説明する。図２（ａ）は本実施例においてアスペクト比４：３の映像をアスペクト比が１６：９で放送または再生機器などより再生し映像入力端子２から入力される映像である。図２（ａ）の映像は水平方向１９２０画素×垂直方向１０８０ラインで、画面中央に映像領域としてのアスペクト比４：３の映像が表示され、映像領域以外のアスペクト比４：３の映像の左右にブランク領域としての黒色のサイドマスクが発生している。図２（ｂ）は図２（ａ）の任意の走査線１ラインの輝度レベルの変化の例を示した図である。図２（ｂ）に示したようにサイドマスクと映像領域では所定値以上の輝度レベルの変化が発生する。したがって映像上に予め設定した走査線１ライン以上から構成される領域Ｘと、領域Ｘと間隔を空けて設定した走査線１ライン以上から構成される領域Ｙの輝度レベルの変化を検出することでサイドマスクの検出を行うことができる。詳細を図３のフローチャートを参照して説明する。
【００２６】
まず、ステップＳ１において、図２（ａ）の領域Ｘおよび領域Ｙにおける映像領域の走査方向としての水平方向の開始位置と終了位置を取得してステップＳ２へ進む。開始位置および終了位置は、走査線１ライン１９２０画素において左端の画素を１、右端の画素を１９２０としたときの画素の座標で示す。開始位置は前述したように輝度レベルの所定値以上の変化を検出した座標を開始位置として取得する。終了位置も同様に輝度レベルの所定値以上の変化を検出した座標を終了位置として取得する。すなわち、開始位置および終了位置が映像領域とサイドマスクとの境界を表す座標となる。また、所定値とはサイドマスクと映像領域との境界であると検出できる程度の輝度レベルの差である。
【００２７】
次に、ステップＳ２において、ステップＳ１で取得した領域Ｘおよび領域Ｙの開始位置と終了位置と、ＲＡＭに記憶されている前回の領域Ｘおよび領域Ｙの開始位置と終了位置との差分絶対値を、領域Ｘの開始位置、領域Ｘの終了位置、領域Ｙの開始位置、領域Ｙの終了位置夫々に対して算出しステップＳ３に進む。前回の領域Ｘおよび領域Ｙの開始位置と終了位置とは、ステップＳ１実行前に本フローチャートを実行して後述するステップＳ９で保持された領域Ｘおよび領域Ｙの開始位置と終了位置を示す。
【００２８】
次に、ステップＳ３において、ステップＳ１で取得した領域Ｘおよび領域Ｙの開始位置がいずれも予め設定した座標Ａと座標Ｂとの間かつ、領域ＸおよびＹの終了位置がいずれも予め設定した座標Ｃと座標Ｄとの間に位置しているか否かを判断し、位置している場合（ＹＥＳの場合）はステップＳ４に進み、そうでない場合（ＮＯの場合）はステップＳ８へ進む。座標Ａと座標Ｂおよび座標Ｃと座標Ｄはそれぞれアスペクト比１６：９の画面にアスペクト比４：３の映像を表示させた際にサイドマスクと映像領域の境界が現れる範囲に設定されている。すなわち、検出した開始位置及び終了位置が映像内の変化でなく映像領域とサイドマスクとの境界によるものか否かの判定を行っている。
【００２９】
次に、ステップＳ４において、ステップＳ２で算出した差分絶対値が予め設定した第１の許容値未満か否かを判断して第１の許容値未満の場合（ＹＥＳの場合）はステップＳ５へ進み、そうでない場合（ＮＯの場合）はステップＳ８へ進む。このステップを行うことで開始位置及び終了位置が時間軸方向（フィールド間）でほぼ変化の無いことを判定できる。すなわち、過去に検出した境界の位置と現在に検出した境界の位置との差が予め設定した第１の許容値未満であることを判定している。これは、図４のようにフィールド間で移動するような映像内のオブジェクトをサイドマスクとして誤検出することが無くなるのでサイドマスクの判定精度を高めることができる。なお、第１の許容値としてある程度の幅を持たせているのは、放送局や再生内容などによってサイドマスクと映像の境界位置が数画素程度ずれることがあるためである。また、第１の許容値は開始位置および終了位置夫々別に設定してもよい。
【００３０】
次に、ステップＳ５において、ステップＳ１で取得した領域Ｘの開始位置から領域Ｙの開始位置を差し引いた値の絶対値と、領域Ｘの終了位置から領域Ｙの終了位置を差し引いた値の絶対値が予め設定した第２の許容値未満か否かを判断して第２の許容値未満の場合（ＹＥＳの場合）はステップＳ６に進み、そうでない場合（ＮＯの場合）はステップＳ８に進む。このステップを行うことで、領域Ｘと領域Ｙとで検出した開始位置及び終了位置がほぼ一致していることを判定できる。これは、図５のように座標Ａと座標Ｂおよび座標Ｃと座標Ｄの間を斜めに縦断するような映像に対して、誤検出を無くすことができサイドマスクの判定精度を高めることができる。なお、第２の許容値としてある程度幅を持たせているのは、ノイズ等によって生じる数画素程度の誤差を許容するためである。また、第２の許容値は開始位置および終了位置夫々別に設定してもよい。すわなち、境界を検出するために予め設定する複数のラインが、互いに間隔を空けて設定されていることによってこのような判定が有効となる。
【００３１】
次に、ステップＳ６において、ステップＳ１で取得した開始位置が領域Ｘおよび領域Ｙともに立ち上がり（前の座標位置の画素の輝度レベルよりも後の座標位置の画素の輝度レベルが所定レベル以上大きい）かつ、終了位置が立ち下がり（前の座標位置の画素の輝度レベルよりも後の座標位置の画素の輝度レベルが所定レベル以上小さい）または、領域Ｘおよび領域Ｙともに立ち下がりかつ、終了位置が立ち上がりか否かを判断し、いずれかに該当する場合（ＹＥＳの場合）はステップＳ７に進み、そうでない場合（ＮＯの場合）はステップＳ８に進む。本ステップでは、立ち上がりと立ち下がりが対になっているか否かの判定を行っている。
【００３２】
次に、ステップＳ７において、サイドマスクを検出したとし、検出結果を論理和３ｃへ出力してステップＳ９へ進む。
【００３３】
ステップＳ８においては、サイドマスク未検出（アスペクト比１６：９の映像）とし、検出結果を論理和３ｃに出力してステップＳ９へ進む。
【００３４】
次に、ステップＳ９において、これまでのステップにおいて使用した領域Ｘおよび領域Ｙの開始位置と終了位置を前回の開始位置および終了位置としてＲＡＭに記憶してステップＳ１に戻る。
【００３５】
すなわち、走査方向の１ラインの輝度レベルの変化を検出し、その変化が複数のラインについて発生していることを検出することによってサイドマスクと映像領域との境界を検出することができるので、サイドマスクの検出を行うことができる。また、このアクティブ検出部３ａによってサイドマスクと映像領域との輝度差が所定値以上ある場合であれば、サイドマスク領域が黒色でなくても境界を検出することができるのでサイドマスクの検出をすることができる。
【００３６】
なお、放送中の時間表示や字幕表示による誤検出を避けるため、領域Ｘおよび領域Ｙは夫々画面の上端および下端ではなくある程度画面の中心に寄った位置に設定するのが望ましい。
【００３７】
また、上述した実施例では映像領域とサイドマスク領域との境界の差分をフィールド単位で行っていたが、入力される映像がプログレッシブの場合はフレーム単位で映像領域とサイドマスク領域との境界の差分をとる。
【００３８】
続いて、レベル検出部３ｂの動作を図６および７を参照して説明する。図６は本実施例においてアスペクト比４：３の映像をアスペクト比が１６：９で放送または再生機器より再生し映像入力端子２から入力される映像である。図６の映像は水平方向１９２０画素×垂直方向１０８０ラインで、画面中央に映像領域としてのアスペクト比４：３の映像が表示され、映像領域以外のアスペクト比４：３の映像の左右にブランク領域としての黒色のサイドマスクが発生している。レベル検出部３ｂでは、検出動作を行うためにアスペクト比４：３の映像が入力されたときに左側のサイドマスク領域となる位置に２箇所、右側のサイドマスク領域となる位置に２箇所、アスペクト比４：３映像領域となる位置に４箇所の計８箇所の判定領域を設けている。そして、各判定領域の信号レベルとしての平均輝度レベルの時間方向の変化を検出して、サイドマスク領域内の判定領域（判定領域１〜４）に所定時間変化が無く、かつアスペクト比４：３映像内の判定領域（判定領域５〜８）に変化がある場合はサイドマスクが検出されたと判断する。すなわち、サイドマスクは時間的に変化しないので静止画であり、映像領域は変化する可能性が高いので動画と検出することでサイドマスクの検出を行う。詳細を図７のフローチャートを参照して説明する。
【００３９】
まず、ステップＳ２１において、各判定領域の平均輝度レベルを算出してＲＡＭに記憶しステップＳ２２へ進む。
【００４０】
次に、ステップＳ２２において、判定領域毎に前回算出した平均輝度レベルからの変化の有無をＲＡＭに記憶した平均輝度レベルから検出してステップＳ２３に進む。
【００４１】
次に、ステップＳ２３において、ステップＳ２２で検出した結果において、判定領域１〜４において平均輝度レベルの変化が無く、かつ判定領域５〜８のいずれかにおいて平均輝度レベルの変化があったか否かを判断して、判定領域１〜４において変化が無く、かつ判定領域５〜８のいずれかにおいて変化があった場合（ＹＥＳの場合）はステップＳ２４に進み、そうでない場合（ＮＯの場合）はステップＳ２６に進む。すなわち、本ステップでＹＥＳの場合は映像領域が動画であることが判定できる。
【００４２】
次に、ステップＳ２４において、ステップＳ２３において判断した領域１〜４に平均輝度レベルの変化が無いことが予め設定した所定時間継続したか否かを判断し、継続している場合（ＹＥＳの場合）はステップＳ２５に進み、そうでない場合（ＮＯの場合）はステップＳ２１に戻る。すなわち、本ステップで、ＹＥＳの場合はサイドマスク領域が静止画であると判定できる。
【００４３】
次に、ステップＳ２５において、サイドマスクを検出したとし、検出結果を論理和３ｃへ出力してステップＳ２１へ戻る。
【００４４】
ステップＳ２６においては、判定領域１〜４のいずれかにおいて平均輝度レベルの変化があったか否かを判断し、変化があった場合（ＹＥＳの場合）はステップＳ２７に進み、そうでない場合（ＮＯの場合）はステップＳ２１に戻る。
【００４５】
次に、ステップＳ２７において、サイドマスク未検出（アスペクト比１６：９の映像）とし、検出結果を論理和３ｃに出力してステップＳ２１へ進む。
【００４６】
すなわち、映像をサイドマスクと、映像領域に対して夫々複数の判定領域を設定し、サイドマスクの位置に所定時間平均輝度レベルの変化が無く、映像領域の位置に平均輝度レベルの変化が有ることを検出することで、サイドマスクの検出を行うことができる。また、平均輝度レベルの時間軸方向の変化、すなわちサイドマスクと映像領域とが動画であるか静止画であるかによる検出のため、サイドマスクが黒色でなくとも検出することができる。
【００４７】
また、判定領域をサイドマスク、映像の各領域で１つでなく、複数に分割することで、判定領域が小さくなることから画面上の狭い領域に限定された輝度変化にも対応できる（例えば、小さな物体の移動や変化も検出できる）ようなる。そして、複数の判定結果に基づいて判定するので、検出の確度を高めることができる。
【００４８】
本実施例によれば、アクティブ検出部３ａでラインの輝度レベルの変化からサイドマスク領域と映像領域との境界を検出することでサイドマスクの検出を行い、レベル検出部３ｂで映像をサイドマスクと、映像領域に対して夫々複数の判定領域を設定し、サイドマスクに設定された判定領域において所定時間平均輝度レベルの変化が無く、かつ映像領域に設定された判定領域において平均輝度レベルの変化が有ることを検出することで、サイドマスクの検出を行い、アクティブ検出部３ａとレベル検出部３ｂの結果の論理和を判定結果としてマスク合成部４に出力しているので、どちらかの検出部がサイドマスクの検出を行えればサイドマスク検出の判定が行えることから、黒色以外のサイドマスクを持つ映像に対しても精度良く検出することができ、マスク合成部４で焼き付きの発生しにくい（あるいは目立たなくする）サイドマスクを合成することでマスク合成部４から出力した映像が表示されるモニタ５において焼き付きが発生しにくくなる。
【００４９】
なお、レベル検出部３ｂにおいて予め設定する判定領域は、本実施例の図６に示すような８箇所でなくてもよい。ただし、映像領域とサイドマスク領域に跨らないように設定する必要がある。すなわち、判定領域はサイドマスクが確実に発生する領域と確実に映像領域になる範囲に設定する必要がある。また、映像領域とサイドマスク領域の全てを網羅するように領域の設定を行わなくてもよい。
【実施例２】
【００５０】
次に、本発明の第２の実施例にかかる映像処理装置１０を図８および図９を参照して説明する。なお、前述した第１の実施例と同一部分には、同一符号を付して説明を省略する。
【００５１】
本実施例は図８に示すように映像検出装置としてのマスク検出部３´において第１の検出手段としてのアクティブ検出部３ａ´と第２の検出手段としてのレベル検出部３ｂ´とが接続されている点が第１の実施例と異なる。本実施例ではアクティブ検出部３ａ´において検出したサイドマスクと映像領域との境界位置をレベル検出３ｂ´の判定領域設定に反映させることでレベル検出の精度をより高めるようにしたものである。
【００５２】
本実施例におけるレベル検出部３ｂ´のフローチャートを図９に示す。図９のフローチャートは図７のフローチャートに対してステップＳ２１の前にステップＳ２８が追加された点が異なる。ステップＳ２８は、アクティブ検出部３ａ´からのサイドマスクと映像領域との境界位置の情報を取得し、その境界位置情報に応じて判定領域の設定を行う。ただし、映像処理装置１の起動当初やアクティブ検出部３ａ´が境界位置を検出していない場合は、予め設定されているデフォルトの判定領域で以降のステップを実行する。
【００５３】
本実施例によれば、アクティブ検出部３ａ´でラインの輝度レベルの変化からサイドマスク領域と映像領域との境界を検出することでサイドマスクの検出を行い、レベル検出部３ｂで映像をサイドマスクと、映像領域に対して夫々複数の判定領域を設定し、サイドマスクに設定された判定領域において所定時間平均輝度レベルの変化が無く、かつ映像領域に設定された判定領域において平均輝度レベルの変化が有ることを検出することで、サイドマスクの検出を行い、アクティブ検出部３ａ´とレベル検出部３ｂ´の結果の論理和を判定結果としてマスク合成部４に出力しているので、どちらかの検出部がサイドマスクの検出を行えればサイドマスク検出の判定が行えるので、黒色以外のサイドマスクを持つ映像に対しても精度良く検出することができ、マスク合成部４で焼き付きの発生しにくい（あるいは目立たなくする）サイドマスクを合成することでマスク合成部４から出力した映像が表示されるモニタ５において焼き付きが発生しにくくなる。さらに、アクティブ検出部３ａ´からのサイドマスクと映像領域との境界位置情報を取得してレベル検出部３ｂ´での検出を行うようにしたので、レベル検出部３ｂ´の判定領域がサイドマスクと映像領域との境界付近まで設定できるので検出精度をより高くすることができる。
【実施例３】
【００５４】
次に、本発明の第３の実施例にかかる映像処理プログラムを説明する。なお、前述した第１の実施例と同一部分には、同一符号を付して説明を省略する。
【００５５】
上述した第１の実施例はハードウェアで構成されていたが、本実施例はコンピュータに実行させるプログラムとなっている。図１０にフローチャートを示す。
【００５６】
本実施例では図１または図８に示した映像処理装置を図示しないコンピュータのＣＰＵ（Central Processing Unit）で置き換え、映像検出装置としてのマスク検出部３または３´やマスク合成部４をＣＰＵ上で実行されるプログラムで実現している。したがって、アクティブ検出部３ａやレベル検出部３ｂのフローチャートは前述した第１の実施例および第２の実施例と同様であるので映像検出プログラムを含んだ映像処理プログラムとしての動作のフローチャートを図１０を参照して以降説明する。なお、ＣＰＵには映像処理プログラムを記憶するＲＯＭ（Read Only Memory）や各種処理において一時記憶に使用するＲＡＭなどが内蔵されているものとする。
【００５７】
まず、第１の検出手段としてのステップＳ４１において、アクティブ検出を開始させてステップＳ４２に進む。アクティブ検出が開始されると図３に示したフローチャートが実行される。
【００５８】
次に、第２の検出手段としてのステップＳ４２において、レベル検出を開始させてステップＳ４３に進む。レベル検出が開始されると図７または図９に示したフローチャートが実行される。
【００５９】
次に、判定手段としてのステップＳ４３において、アクティブ検出においてサイドマスクが検出されたか否かを判定し、検出された場合（ＹＥＳの場合）はステップＳ４５に進み、検出されない場合（ＮＯの場合）はステップＳ４４に進む。
【００６０】
次に、判定手段としてのステップＳ４４において、レベル検出においてサイドマスクが検出されたか否かを判定し、検出された場合（ＹＥＳの場合）はステップＳ４５に進み、検出されない場合（ＮＯの場合）はステップＳ４３に戻る。
【００６１】
次に、加工手段（焼き付き軽減処理）としてのステップＳ４５において、入力された映像に対して、焼き付きの起りにくい（あるいは目立たなくする）サイドマスク（一定以上の輝度レベルがある均一なパターン）として例えばグレーのサイドマスクを合成しモニタ５へ出力する。
【００６２】
本実施例によれば、アクティブ検出でラインの輝度レベルの変化からサイドマスクと映像領域との境界を検出することでサイドマスクの検出を行い、レベル検出で映像をサイドマスクと、映像領域に対して夫々複数の判定領域を設定し、サイドマスクに設定された判定領域において所定時間平均輝度レベルの変化が無く、かつ映像領域に設定された判定領域において平均輝度レベルの変化が有ることを検出することで、サイドマスクの検出を行い、アクティブ検出とレベル検出の何れかでサイドマスクが検出された場合はマスク合成を行っているので、どちらかの検出部がサイドマスクの検出を行えればサイドマスク検出の判定が行えることから、黒色以外のサイドマスクを持つ映像に対して精度良く検出することができ、マスク合成で焼き付きの発生しにくいサイドマスクを合成することで出力した映像が表示される図示しない表示装置などにおいて焼き付きが発生しにくくなる。さらに、コンピュータプログラムとしたことにより専用のハードウェアが不要となるので汎用性が高まる。
【００６３】
なお、上述した実施例では判定手段として論理和３ｃを用いていたが、論理積としてもよい。すなわち、アクティブ検出とレベル検出のいずれかにおいてサイドマスクが検出されたことで、マスク検出部３におけるサイドマスク検出とするだけでなく、アクティブ検出とレベル検出の双方がサイドマスクを検出することでマスク検出部３におけるサイドマスク検出としてもよい。このようにすることによって、異なる２つの検出方法がともに検出することでサイドマスク検出判定が行えることからサイドマスクの誤検出を少なくすることができる。
【００６４】
また、上述した実施例では加工手段（焼き付き軽減処理）としてマスク合成部４で焼き付きの発生しにくい（あるいは目立たなくする）サイドマスクを合成するようにしていたが、アスペクト比４：３の映像をアスペクト比１６：９に引き伸ばす機能（オートワイド機能）やサイドマスクと映像領域の境界のシャープネスを落とす機能で代用しても良い。オードワイド機能は映像領域をサイドマスクまで引き伸ばして表示させることで同じ画面が長時間表示されることを防ぎ、サイドマスクと映像領域の境界のシャープネスを落とす機能は、サイドマスクと映像領域との輝度の差を小さくすることで焼き付きを目立たなくする効果がある。すなわち、モニタ５における焼き付きをユーザなどが視認しにくくなるような処理であればよい。
【００６５】
また、上述した実施例では、ブランク領域が画面の左右に発生する映像に対して説明したが、上下にブランク領域が発生するような場合においても適用することができる。その際は、アクティブ検出は、走査方向が水平走査から垂直走査の方向となり各走査線の所定の座標の画素の輝度レベルの変化から境界を検出する。レベル検出は判定領域の設定位置が変更するのみで基本的な動作は同じである。
【００６６】
なお、本発明の映像処理装置はＣＲＴやＰＤＰを表示装置として用いるテレビジョン受像機以外にも、モニタディスプレイ（テレビジョンチューナを持たない表示装置）やテレビジョンチューナおよびＤＶＤ（Digital Versatile Disk）プレーヤ／レコーダなど表示装置や表示装置に映像を出力する機器に用いることができる。
【００６７】
前述した実施例によれば、以下の映像検出装置、映像検出方法、表示装置の焼き付き軽減方法および映像検出プログラムが得られる。
【００６８】
（付記１）入力されるアスペクト比４：３の映像領域とサイドマスクとを有する映像のサイドマスクの検出を行うマスク検出部３において、映像の走査線の輝度レベルの変化に基づいてサイドマスクを検出するアクティブ検出部３ａと、映像に予め複数の判定領域を設定し、複数の判定領域の平均輝度レベルの変化により夫々の判定領域が動画か静止画かの判定に基づいてサイドマスクを検出するレベル検出部３ｂと、アクティブ検出部３ａおよびレベル検出部３ｂの検出結果に基づいてサイドマスクを検出したか否かの判定を行う論理和３ｃと、を備えたことを特徴とするマスク検出部３。
【００６９】
このマスク検出部３によれば、アクティブ検出部３ａとレベル検出部３ｂの検出結果を合わせて判定できるので、黒色以外のサイドマスク領域を持つ多様な映像に対して精度良く検出することができる。
【００７０】
（付記２）入力されるアスペクト比４：３の映像領域とサイドマスクとを有する映像の前記サイドマスクの検出を行う映像検出方法において、映像の走査線の輝度レベルの変化に基づいてサイドマスクを検出し、映像に予め複数の判定領域を設定して複数の判定領域の平均輝度レベルの変化により夫々の判定領域が動画か静止画かの判定に基づいてサイドマスクを検出して、走査線の輝度レベルの変化および複数の判定領域の所定時間内の平均輝度レベルの変化の双方の検出結果に基づいてサイドマスクを検出したか否かの判定を行うことを特徴とする映像検出方法。
【００７１】
このマスク検出部３によれば、２つの異なる検出方法の検出結果を合わせて判定できるので、黒色以外のサイドマスク領域を持つ多様な映像に対しても精度良く検出することができる。
【００７２】
（付記３）夫々所定範囲にサイドマスクとアスペクト比４：３の映像領域を有する映像を表示するモニタ５の焼き付き軽減方法であって、入力映像のサイドマスクに対応する範囲に位置する映像の輝度レベルと、アスペクト比４：３の映像領域に対応する範囲に位置する映像の輝度レベルの差が所定値以上であり、かつ、入力映像において、サイドマスクに対応する範囲に位置する映像が静止画であり、かつ、アスペクト比４：３の映像領域に対応する範囲に位置する映像が動画である場合に、サイドマスクに対応する範囲に位置する映像がサイドマスクであると判定し、該判定に基づいて、入力映像に対してグレーのサイドマスクを合成処理することを特徴とするモニタ５の焼き付き軽減方法。
【００７３】
この焼き付き軽減方法によれば、２つの異なる検出方法の検出結果を合わせて判定した結果を基にグレーのサイドマスクを合成処理するので、グレーのサイドマスクを合成処理の精度を高くすることができる。
【００７４】
（付記４）入力されるアスペクト比４：３の映像領域とサイドマスクとを有する映像のサイドマスクの検出を行う映像検出装置のコンピュータを動作させるための映像検出プログラムにおいて、映像の走査線の輝度レベルの変化に基づいてサイドマスクを検出するステップＳ４１と、映像に予め複数の判定領域を設定し、複数の判定領域の平均輝度レベルの変化により夫々の判定領域が動画か静止画かの判定に基づいてサイドマスクを検出するステップＳ４２と、ステップＳ４１およびステップＳ４２の検出結果に基づいてサイドマスク検出したか否かの判定を行うステップＳ４３およびＳ４４と、としてコンピュータに機能させることを特徴とするコンピュータ読み取り可能な映像検出プログラム。
【００７５】
この画像調整方法によれば、ステップＳ４１とステップＳ４２の検出結果を合わせて判定できるので、黒色以外のサイドマスク領域を持つ多様な映像に対して精度良く検出することができる。
【００７６】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００７７】
【図１】本発明の第１の実施例にかかる映像処理装置のブロック図である。
【図２】図１に示された映像処理装置のアクティブ検出部の動作の説明図である。
【図３】図１に示された映像処理装置のアクティブ検出部の動作のフローチャートである。
【図４】図１に示された映像処理装置のアクティブ検出部の誤検出防止動作の説明図である。
【図５】図１に示された映像処理装置のアクティブ検出部の誤検出防止動作の説明図である。
【図６】図１に示された映像処理装置のレベル検出部の動作の説明図である。
【図７】図１に示された映像処理装置のレベル検出部の動作のフローチャートである。
【図８】本発明の第２の実施例にかかる映像処理装置のブロック図である。
【図９】図８に示された映像処理装置のレベル検出部の動作のフローチャートである。
【図１０】本発明の第３の実施例にかかる映像処理プログラムのフローチャートである。
【符号の説明】
【００７８】
１        映像処理装置
３        マスク検出部（映像検出装置）
３´      マスク検出部（映像検出装置）
３ａ      アクティブ検出部（第１の検出手段、境界記憶手段）
３ａ´    アクティブ検出部（第１の検出手段、境界記憶手段）
３ｂ      レベル検出部（第２の検出手段、信号レベル記憶手段）
３ｂ´    レベル検出部（第２の検出手段、信号レベル記憶手段）
３ｃ      論理和（判定手段）
４        マスク合成部（加工手段）
５        モニタ（表示装置）
１０      映像処理装置
Ｓ４１    アクティブ検出開始（第１の検出手段）
Ｓ４２    レベル検出開始（第２の検出手段）
Ｓ４３    アクティブ検出で検出されたか（判定手段）
Ｓ４４    レベル検出で検出されたか（判定手段）
Ｓ４５    マスク合成（加工手段）
【図１】
2007304337.tif 000003
【図２】
2007304337.tif 000004
【図３】
2007304337.tif 000005
【図４】
2007304337.tif 000006
【図５】
2007304337.tif 000007
【図６】
2007304337.tif 000008
【図７】
2007304337.tif 000009
【図８】
2007304337.tif 000010
【図９】
2007304337.tif 000011
【図１０】
2007304337.tif 000012